(57)【要約】【課題】  本考案は毛糸編地で甲部、筒部、踵部を一体に筒状に形成して、これに靴底部を装着した折り畳み可能で携帯に便利で、しかも室内又は室外の何れでも履ける防寒性を有する毛糸を用いた長靴を提供することを課題とする。【解決手段】  甲部、筒部、踵部を毛糸編地で一体に編成し、甲部のつま先の内側部分に甲皮片を内挿して甲部の内側全体に甲部内皮を装着し、踵部の内側部分に踵皮片を内挿して踵部の内側全体に踵部内皮を装着し、甲部、踵部の下部端を中底の周囲にテープを介して縫着し、これを靴底部に装着して一体とした毛糸を用いた長靴を解決手段とするものである。【選択図】        図１
0003124226.tif 000002
【実用新案登録請求の範囲】
【請求項１】
毛糸編地で甲部、筒部、踵部を筒状に一体に編成し、甲部のつま先の内側部分に甲皮片を内挿して甲部の内側全体に甲部内皮を装着し、踵部の内側部分に踵皮片を内挿して踵部の内側全体に踵部内皮を装着し、甲部、踵部の下部端を中底の周囲にテープを介して縫着し、これを靴底部に接着して一体としたことを特徴とする毛糸を用いた長靴。
【請求項２】
筒部は、前側筒部片と後側筒部片を幅方向に繋ぎ合わせて形成したことを特徴とする請求項１記載の毛糸を用いた長靴。
【請求項３】
筒部は、毛糸により筒状編みで一体に形成したことを特徴とする請求項１記載の毛糸を用いた長靴。
【請求項４】
筒部は、前側筒部片と後側筒部片を幅方向に繋ぎ合わせて形成し又は筒部の構成を毛糸により筒状編みで一体に形成し、これらの筒部に毛糸で模様、色彩を施した請求項１記載の毛糸を用いた長靴。
【請求項５】
筒部は、前側筒部片を太い毛糸で編成し、後側筒部片を細い毛糸で編成し、前記前側筒部片と後側筒部片を幅方向に繋ぎ合わせて形成したことを特徴とする請求項１記載の毛糸を用いた長靴。
【考案の詳細な説明】
【技術分野】
【０００１】
本考案は毛糸編地で甲部、筒部、踵部を筒状に一体に編成して、これに靴底部を接着した折りたたみ可能で携帯に便利な、しかも室内又は室外の何れでも履くことができ、防寒性を有し、筒部を外側に重ね折りして短靴としても利用できる毛糸を用いた長靴に関するものである。
【背景技術】
【０００２】
従来の靴は、短靴は短靴として製造され、長靴は長靴として製造されているため、一足で短靴として使用したり、長靴と使用したりすることができないものであった。
【０００３】
また、下記の特許文献１に記載の短靴部とレッグ部から成る靴の考案では、短靴としてもブーツとしても使用できる靴であるが、短靴部とレッグ部とを連結ベルトと係合手段で連結することとしている。
【０００４】
前記短靴部は半長靴タイプに形成され、腰皮部は上方に向かって延設されている。また、前記短靴部の底部には大きく窪んだ窪み部が形成され、短靴部の腰皮部には筒状のレッグ部が取付けられるようになっている。そして、前記レッグ部の外側の延出部には連結ベルトが固着され、該連結ベルトの先端部にボタン突起部とボタン嵌合部が取り付けられ、前記レッグ部の内側の延出部には連結ベルトが係合される環体が取り付けられた構成である。
【特許文献１】実用新案登録第３０１６７７８号公報
【考案の開示】
【考案が解決しようとする課題】
【０００５】
上記特許文献１に係る考案は、短靴としてもブーツとしても使用できる靴であり、短靴として使用する場合は、連結ベルトと係合手段を外してレッグ部を短靴部から取り外し、短靴部を通常の短靴として履くことができるものであるが、外したレッグ部分を別のかばん等に入れて持ち歩くか、別の箇所に保管して置く必要がある。そのため靴を履くときに短靴として使用するかブーツとして使用するか決めなければならず、保管場所を必要とする点、連結ベルトと係合手段の構造が複雑で靴が重くなる点で改良すべき点を有する。
【課題を解決するための手段】
【０００６】
本願考案の請求項１記載の考案は、毛糸編地で甲部、筒部、踵部を筒状に一体に編成し、甲部のつま先の内側部分に甲皮片を内挿して甲部の内側全体に甲部内皮を装着し、踵部の内側部分に踵皮片を内挿して踵部の内側全体に踵部内皮を装着し、甲部、踵部の下部端を中底の周囲にテープを介して縫着し、これを靴底部に接着して一体とした毛糸を用いた長靴であって、足が冷えるときは筒部を伸ばして長靴として使用し、暑くなれば筒部を外側に重ね折りして短靴に変更使用可能な防寒性を有する長靴とすることを考案が解決しようとする手段とするものである。
【０００７】
そして、本考案は特に、筒部は毛糸編地で形成されているため、筒部を横に折り畳んでも嵩張ることがないので、携帯に便利であり、しかも室内及び室外の何れでも使用できる通気性の良好な毛糸を用いた長靴である。
【０００８】
請求項２に記載の長靴は、筒部の編成を、前側筒部片と後側筒部片を幅方向に繋ぎ合わせて形成した請求項１記載の毛糸を用いた長靴である。
【０００９】
更に、請求項３に記載の長靴は、筒部の編成を毛糸の筒状編みで一体に形成した請求項１記載の毛糸を用いた長靴である。
【００１０】
請求項４に記載の長靴は、筒部の構成を、前側筒部片と後側筒部片を幅方向に繋ぎ合わせて形成し又は筒部の構成を毛糸の筒状編みで一体に形成して、これらの筒部に模様、色彩を施した請求項１記載の毛糸を用いた長靴である。
【００１１】
請求項５に記載の長靴は、筒部を構成する前側筒部片を太い毛糸で編成し、後側筒部片を細い毛糸で編成し、前側筒部片と後側筒部片を幅方向に繋ぎ合わせて形成したことを特徴とする請求項１記載の毛糸を用いた長靴である。
【考案の効果】
【００１２】
長靴の甲部、筒部、踵部が毛糸のメリヤス編み、ゴム編みなどで一体に編成されているので、靴下のように足の脛によく沿い履き心地がよく、通気性が良好で、筒部を外側に重ね折りして短靴として使用でき、筒部を横に折り畳んで靴底部に巻いたりして嵩を低くすることができ、携帯及び保管に便利である。
また、長靴と使用する場合にも筒部を重ね折りして好みの長さに調節することができるので、その日の服装に合わせてコーディネートすることもでき、ファッション性を有する長靴を提供することができる。
【００１３】
本考案の長靴は、筒部の前側筒部片と後側筒部片について、毛糸の編み方を例えば、メリヤス編み、ゴム編み、ガーター編みなどに前側筒部片と後側筒部片の編み方をそれぞれ変えたり、色彩、模様を変えたり、又は別のアップリケで模様を付加したり、筒部に刺繍で模様を付加したりすれば長靴の筒部に装飾性と通気性を付与させた長靴とすることができる。
【００１４】
本考案の長靴は筒部を毛糸により連続的に編成しているので、筒部の長さを着用している服、ズボン、スカートの丈に合わせて調節し、コーディネートすることもできる。
また毛糸の色を変え又は編み方を変えて模様、色彩、刺繍、アップリケを施し、さらに毛糸の太さを一部変えたりして、ファッション性に富んだ毛糸を用いた長靴を提供することができる。
【００１５】
また、甲部１のつま先１Ａの内側部分に甲皮片４を内挿して甲部１内側全体に甲部内皮５を装着し、踵部３の内側に踵皮片６Ａを内挿して踵部３の内側全体に踵部内皮６を装着し、前記甲部１、筒部２、踵部３を一体に筒状に形成して、甲部１、踵部３の保形性と筒部３の通気性が良好な長靴が提供できる。さらに甲部、踵部にも模様、色彩を変えて変化を有する長靴とすることもできる。
【００１６】
請求項２記載の考案によれば、筒部２を前側筒部片２Ａと後側筒部片２Ｂで幅方向に継ぎ目２Ｃで繋ぎ合わせて筒状に形成して毛糸の編み方を前側筒部片と後側筒部片を変えて編成することができることを特徴とする請求項１記載の毛糸を用いた長靴とすることもできる。
【００１７】
請求項３記載の考案によれば、筒部２を毛糸のメリヤス編み、ゴム編みなどの筒状編みで一体に形成したことを特徴とする請求項１記載の長靴とすることもできる。
【００１８】
請求項４に記載の考案によれば、長靴の筒部２を前側筒部片２Ａと後側筒部片２Ｂで編成し、前記筒部片２Ａ、２Ｂを幅方向に繋ぎ合わせて筒状に形成し、又は筒部２の構成を毛糸により筒状編みで一体に形成して、これらの筒部２に模様、色彩、刺繍を施した請求項１記載の毛糸を用いた長靴とすることもできる。
【００１９】
請求項５に記載の考案によれば、長靴の筒部２を、並太の毛糸で編成した前側筒部片２Ａと細い毛糸で編成した後側筒部片２Ｂとを幅方向に繋ぎ合わせて筒状に形成したことを特徴とする請求項１記載の毛糸を用いた長靴とすることもできる。
【考案を実施するための最良の形態】
【００２０】
毛糸編地で甲部１、筒部２、踵部３を、筒状に一体に編成し、甲部１のつま先１Ａの内側部分に甲皮片４を内挿して甲部１の内側全体に甲部内皮５を装着し、踵部３の内側部分に踵皮片６Ａを内挿して踵部３の内側全体に踵部内皮６を装着し、甲部１、踵部３の下部端７を中底９の周囲にテープ８を介して縫着し、これを靴底部１１に接着して一体としたことを特徴とする毛糸を用いた長靴。
【実施例】
【００２１】
図１は本考案の実施例に係る長靴の正面図、図２は長靴の筒部を形成する前側筒部と後側筒部の構成展開平面図、図３は長靴の甲部を形成する展開平面図及び部分拡大図、図４は長靴の踵部を形成する展開平面図、図５は筒部を外側に重ね折りした状態を示す背面図、図６は長靴の筒部を横に折り畳んだ状態を示す左側面図である。
【００２２】
本考案の実施例１に係る長靴は、メリヤス編み、ゴム編みなどの毛糸編地で甲部１、筒部２、踵部３を一体に筒状に編成して、甲部１のつま先１Ａの内側部分に甲皮片４を内挿して甲部１の内側全体に甲部内皮５を装着し、踵部３の内側に踵皮片６Ａを内挿して踵部３の内側全体に踵部内皮６を装着し、甲部１、踵部３の下部端７を中底９の周囲にテープ８を介して縫着１０し、これを靴底部１１に接着して一体とした毛糸を用いた長靴であって、筒部２が毛糸編地で一体に形成されているので、折り畳みやすく、嵩を低くして折り畳むことができるので、携帯に便利である。
しかも室内履き又は室外履きの何れでも履ける防寒性と通気性良好な長靴である。
【００２３】
さらに、第１図に示すごとく長靴は、甲部１、筒部２、踵部３をメリヤス編み、ゴム編みなどの毛糸編地で一体に編成し、甲部１のつま先１Ａの内側部分に甲皮片４を内挿して甲部１の内側全体に甲部内皮５を装着し、踵部３の内側に踵皮片６Ａを内挿して踵部３の内部全体に踵内皮６を装着し、甲部１、踵部３の下部端７を中底９の周囲に沿わせてテープ８で包み込み周囲を縫着１０した構成で、これを靴底部１１に接着して一体とした毛糸を用いた長靴であって、足が冷えるときは筒部２を伸ばして長靴として使用し、暑くなれば筒部２を外側に重ね折りして短靴に変更使用可能な防寒性を有する長靴とするものである。
【００２４】
請求項２記載の実施例２の筒部の構成によれば、前側筒部片２Ａと後側筒部片２Ｂを幅方向に繋ぎ合わせて筒部２に形成することができるので、前側筒部片２Ａと後側筒部片２Ｂの毛糸の編み方を変えることができ、前側筒部片２Ａの模様と後側筒部片２Ｂの模様を変えることができ、装飾、色彩が豊かな毛糸を用いた長靴とすることができる。
【００２５】
請求項３記載の実施例３の筒部の構成によれば、筒部２の編成をメリヤス編み、ゴム編みなどの毛糸により筒状編みで一体形成するため、筒部は靴下のように柔らかく踝によく沿う履き心地が良好な毛糸を用いた長靴とすることができる。
【００２６】
請求項４記載の実施例４の筒部の構成によれば、前側筒部片２Ａと後側筒部片２Ｂで編成し、前記前後側筒部片２Ａ、２Ｂを幅方向につなぎ目２Ｃで繋ぎ合わせて筒状に形成し又は筒部２の構成を毛糸の筒状編みで一体に形成して、筒部に模様、色彩を施して個性豊かなファッション性に富んだ毛糸を用いた長靴とすることができる。
【００２７】
請求項５記載の実施例５の筒部の構成によれば、前側筒部片２Ａを並太の毛糸（糸の太さ  並太タイプ  番手1/1.6〜1/2で使用針の目安  棒針６〜１０号、かぎ針５〜７号）で編成し、後側筒部片２Ｂを中細の毛糸（糸の太さ  中細タイプ  番手1/4〜1/5で、使用針の目安  中細タイプ  棒針２〜４号、かぎ針２〜４号）で編成して、前側筒部片２Ａを保形性のある、後側筒部片２Ｂを柔らかく踝によく沿う筒部とした毛糸を用いた長靴が提供できる。
【産業上の利用可能性】
【００２８】
本考案は、折り畳み可能で携帯に便利で、しかも室内又は室外の何れでも履くことができ、防寒性を有し、筒部を外側に重ね折りすれば短靴としても利用でき、筒部の編み方を変えて模様、色彩を施したり、アップリケ、刺繍を付与することもでき、甲部、踵部を皮革で形成することもできる携帯および保管に便利な毛糸を用いた長靴とすることができる。
【図面の簡単な説明】
【００２９】
【図１】本考案に係る長靴の正面図である。
【図２】長靴の筒部を形成する前側筒部と後側筒部の構成展開平面図である。
【図３】長靴の甲部を形成する展開平面図及び部分拡大図である。
【図４】長靴の踵部を形成する展開平面図である。
【図５】長靴の筒部を外側に重ね折りした状態を示す背面図である。
【図６】長靴の筒部を横に折り畳んだ状態を示す左側面図である。
【符号の説明】
【００３０】
１      甲部
１Ａ    つま先
２      筒部
２Ａ    前側筒部片
２Ｂ    後側筒部片
２Ｃ    つなぎ目
３      踵部
４      甲皮片
５      甲部内皮
６      踵部内皮
６Ａ    踵皮片
７      下部端
８      テープ
９      中底
１０      縫着
１１      靴底部
【図１】
0003124226.tif 000003
【図２】
0003124226.tif 000004
【図３】
0003124226.tif 000005
【図４】
0003124226.tif 000006
【図５】
0003124226.tif 000007
【図６】
0003124226.tif 000008